【事件の表示】
　特許第２８１２５３７号「ＩＣカードシステム」の特許に対する特許異議の申立てについて、　次のとおり決定する。
【結論】
　訂正を認める。
　特許第２８１２５３７号の特許を維持する。
【理由】
１．手続の経緯
　特許第２８１２５３７号の請求項１に係る発明は、平成２年（１９９０）６月６日に出願され、平成１０年（１９９８）８月７日にその設定登録がなされ、その後、諸田昭夫より特許異議の申立てがなされ、取消理由通知がなされ、その指定期間内である平成１１年９月２７日に訂正請求がなされたものである。
２．訂正の適否についての判断
　ア．訂正の内容
　特許権者が求めている訂正の内容は、以下のａ，ｂのとおりである。
　ａ特許請求の範囲に記載される「リ−ダライタとＩＣカ−ドとの間にデ−タ用クロツクの伝送路を設けてクロツク同期方式によるデ−タ通信を可能とし、該デ−タ用クロツクを該リ−ダライタ側から該ＩＣカードヘの一方向伝送とすることを特徴とするＩＣカードシステム。」を、
「リ−ダライタとマイクロコンピュ−タを内蔵しかつ該リ−ダライタから該マイクロコンピュ−タの駆動用クロツクが供給されるＩＣカ−ドとの間にデ−タ用クロツクの伝送路を設けてクロツク同期方式によるデータ通信を可能とし、該デ−タ用クロツクを該リ−ダライタ側から該ＩＣカ−ドヘの一方向伝送とすることを特徴とするＩＣカ−ドシステム。」
に訂正する。
　ｂ図面第３図のＳＣＬＫの線に設けた２つの矢印が双方向になっているのを、その矢印を、端子Ｐ２２からビットレ−ト発生器２８へ向かう一方向のみに訂正する。
　イ．訂正の目的の適否、新規事項の有無及び拡張・変更の存否
　上記ａの訂正事項に関連する記載として、願書に添付した明細書（以下、「特許明細書」という。）の発明の詳細な説明には、
「ＩＣカ−ド本体内には、マイコン９、・・・などが埋め込まれており、８個の外部端子１〜８が所定の形状、配列をなして外部に露出している。・・・外部端子３はマイコン９の駆動用クロック端子であって、ＩＣカ−ド本体内のクロック線を介してマイコン９の駆動用クロック入力端子に接続されている。」（本件特許明細書第７頁第２行〜同頁第１８行）、（本件特許公報第２頁の第４欄第２８行〜同欄第４２行）、また
「第２図に示したＩＣカードがこのリ−ダライタに装着されたときには、外部端子１〜８が夫々リ−ダライタの対応する外部端子に接触してＩＣカードとリ−ダライタとが電気的に接続される。そして、リ−ダライタからＩＣカ−ドに、・・・、外部端子３を介してマイコン９のＣＰＵ駆動用クロックＣＣＬＫが・・・供給される。」（本件特許明細書第９頁第９行〜同頁第１７行）、（本件特許公報第３頁の第５欄第１７行〜同欄第２４行）
と記載され、リ−ダライタからＩＣカ−ドに、ＩＣカ−ドに内蔵のマイクロコンピュ−タの駆動用クロツクが供給されることが記載されている。
　そうすると、上記ａの訂正は、特許明細書に記載された事項の範囲内において、ＩＣカ−ドを限定したものといえるから、特許請求の範囲の減縮を目的とするものであり、また、新規事項の追加にも該当しない。そして、上記ａの訂正は実質上特許請求の範囲を拡張、又は変更するものでもない。
　また、上記ｂの訂正事項に関連する記載として、
「リ−ダライタ１７から外部端子４を介してデ−タ用クロックＳＣＬＫが送られてくると」（本件特許明細書第１８頁第１行〜同頁第２行）、（本件特許公報第４頁の第８欄第２０行〜同欄第２１行）
と記載されており、図面第３図のＳＣＬＫの線に設けた２つの矢印が双方向になっているのを、その矢印を、端子Ｐ２２からビットレ−ト発生器２８へ向かう一方向のみに訂正するのは、単なる誤記の訂正である。
　ウ．独立特許要件の判断
　訂正明細書の請求項１に係る発明（以下、「本件発明という。」）の要旨は、その特許請求の範囲の請求項１に記載されたとおりの、
「リーダライタとマイクロコンピュ−タを内蔵しかつ該リ−ダライタから該マイクロコンピュ−タの駆動用クロツクが供給されるＩＣカ−ドとの間にデ−タ用クロツクの伝送路を設けてクロツク同期方式によるデ−タ通信を可能とし、該デ−タ用クロツクを該リ−ダライタ側から該ＩＣカ−ドヘの一方向伝送とすることを特徴とするＩＣカ−ドシステム。」
にあるものと認める。
　これに対して、当審が通知した取消理由で引用した刊行物Ａ（実願昭６２−３９０７２号（実開昭６３−１４７７６２号）のマイクロフィルム）には、
「リ−ダ・ライタとカ−ドとの間にデ−タ用クロックの伝送路を設けてデ−タ通信を可能とし、該デ−タ用クロックを該リ−ダ・ライタ側から該カ−ドヘの一方向伝送とするカ−ドシステム」
が記載されている。
また、同刊行物Ｂ（Ｘｉｃｏｒ社の「ＤＡＴＡ　ＢＯＯＫ」（Ｘ２４Ｃ０１）（１９８９年（平成１年）発行）第ｉ頁、第１−１頁、第１−３頁〜第１−１１頁）には、
「リ−ダ・ライタとカ−ドとをクロック同期方式によるデ−タ通信で行うこと」
が記載されている。
（対比・判断）
　本件発明と上記刊行物Ａ又はＢに記載の発明とを対比すると、上記刊行物Ａ又はＢに記載の発明は、本件発明の必須事項である、
「リ−ダライタとマイクロコンピュ−タを内蔵しかつ該リ−ダライタから該マイクロコンピュ−タの駆動用クロツクが供給されるＩＣカ−ド」を用い、その駆動用クロツクとは別に、
「（リーダライタとＩＣカードとの間に）データ用クロツクの伝送路を設ける」の事項が、上記刊行物Ａに同一に記載されているとも、上記刊行物Ａ又はＢに記載のものから容易に発明をすることができたものともいえない。
　したがって、本件発明は特許出願の際独立して特許を受けることができるものである。
エ．むすび
　以上のとおりであるから、上記訂正は、特許法第１２０条の４第２項及び同条第３項で準用する第１２６条第２−４項の規定に適合するので、当該訂正を認める。
３．特許異議の申立てについての判断
　ア．申立ての理由の概要
　申立人諸田昭夫は、請求項１に係る発明は、甲第１号証（実願昭６２−３９０７２号（実開昭６３−１４７７６２号）のマイクロフィルム）の発明と同じか、または甲第１号証、甲第２号証（Ｘｉｃｏｒ社の「ＤＡＴＡ　ＢＯＯＫ」（Ｘ２４Ｃ０１）（１９８９年（平成１年）発行）第ｉ頁、第１−１頁、第１−３頁〜第１−１１頁）をもとに容易に発明をすることができたものであり、特許法第２９条第１項第３号または同法第２９条第２項の規定により、特許を受けることができないものであるから、特許を取り消すべきと主張している。
　イ．判断
　本件発明は、上記２．ウで示したように、取消理由通知で示した刊行物Ａに記載された発明と同一とも、刊行物Ａ、Ｂに記載された発明から容易に発明をすることができたものともすることはできない。
　また、他に本件請求項１に係る特許を取り消すべき理由を発見しない。
　よって、結論のとおり決定する。
【異議決定日】
平成１１年１２月１０日（１９９９．１２．１０）
【訂正の要旨】
　リーダライタとＩＣカードとの間にデータ用クロツクの伝送路を設けてクロツク同期方式によるデータ通信を可能とし、該データ用クロツクを該リーダライタ側から該ＩＣカードヘの一方向伝送とすることを特徴とするＩＣカードシステム。
　リーダライタと
マイクロコンピュータを内蔵しかつ該リーダライタから該マイクロコンピュータの駆動用クロックが供給される
　該データ用クロツクを該リーダライタ側から該ＩＣカードヘの一方向伝送とすることを特徴とする　ＩＣカードシステム。
（５４）【発明の名称】
ＩＣカードシステム
（５７）【特許請求の範囲】
　リーダライタとマイクロコンピュータを内蔵しかつ該リーダライタから該マイクロコンピュータの駆動用クロツクが供給されるＩＣカードとの間にデータ用クロックの伝送路を設けてクロツク同期方式によるデータ通信を可能とし、該データ用クロツクを該リーダライタ側から該ＩＣカードヘの一方向伝送とすることを特徴とするＩＣカードシステム。
【発明の詳細な説明】
　〔産業上の利用分野〕
　本発明は、ＩＣカードとリーダライタとからなるＩＣカードシステムに関する。
　〔従来の技術〕
　ＩＣカードには８個の外部端子が設けられ、従来では、この内の５個の外部端子が使用されている。すなわち、電源用、リセット信号用、マイクロコンピュータ（以下、マイコンという）駆動のためのクロツク用、接地用、データ通信用として夫々１個ずつ使用される。かかるＩＣカードをリーダライタに装着すると、各外部端子がリーダライタの外部端子と接続される。かかる状態においては、ＩＣカード内の各ＩＣ回路が接地用外部端子を介してリーダライタで接地され、また、リーダライタから電源用外部端子を介してＩＣカード内の各ＩＣ回路に電源電圧が印加されるとともに、リーダライタからリセツト信号やマイコンのＣＰＵ駆動用クロツクが、夫々リセット用外部端子、ＣＰＵ駆動クロツク用外部端子を介してＩＣカード内のマイコンに供給される。
　リーダライタとＩＣカードとの間のデータ通信には、１個のデータ用外部端子による１個の双方向伝送路が用いられ、その通信方式としては、調歩同期方式によるものが採用されている。これは、１ビツトのスタートビツトを先頭とし、これに７または８ビツトのデータ、１ないし２ビツトのパリテイビツトが続き、１ないし２ビツト程度のストツプビツトで終る転送データ形式による通信方式である。受信側では、入力端子でのレベルを監視していて、レベル変化によつてスタートビツトが検出されると、予め決められているビツト周期に一致した周期のクロツクが生成され、このクロツクを用いて受信されるデータやパリテイ・ストツトビツトの各ビツトを判定する。
　〔発明が解決しようとする課題〕
　しかしながら、かかる調歩同期方式によつてデータ通信を行なうと、伝送レートを高めることができない。すなわち、このデータ通信によると、受信側において、検出されるスタートビツトのエツジに一定周期のクロツクを同期させ、このクロツクをもとに受信したデータの各ビツトを判定するものであるから、このクロツクの周期とデータのビツト周期とが正確に一致していれば問題ないが、これら間にずれがあると、クロツクとデータのビツトとの間に位相差が生じて累積し、ビツトの判定にエラーが生じてしまう。伝送レートが高くなると、クロツクとデータのビツト周期とのわずかなずれでもこのようなビツト判定にエラーが生じてしまう。このために、調歩同期方式によるデータ通信を用いている場合には、伝送レートが自ずから制限されることになる。
　従来、リーダライタ、ＩＣカード間の伝送レートは一般的に９６００ｂｐｓがとられている。この場合、１ビツト当りの伝送時間は約１００μｓｅｃであるから、上記のように調歩同期方式でデータ通信する場合、一例としてスタートビツトからストツプビツトまでの１１ビツトのデータを伝送するに要する時間は１ｍｓｅｃを越えてしまう。これに対し、ＩＣカード内のマイコンによるこの送られてきたデータの演算処理時間は１ｍｓｅｃに比べて非常に短かい。このように、従来のＩＣカードシステムでは、ＩＣカード内のＣＰＵがデータを高速に処理できるにもかかわらず、データの伝送レートを低くせざるを得ないため、システム全体としてのデータ処理速度が低いことになる。
　最近では、ＩＣカードシステムの種々のシステムヘの応用が注目されている。データ伝送レートが低いシステムに対しては、従来のＩＣカードシステムが充分に対応できるが、データ伝送レートが高い通信システムには対応できない。
　このような高速でのデータ通信に対応できる送受信方式として、クロツク同期方式が考えられるが、このクロツク同期方式では、一般に、送信側からデータ用クロツクが伝送される。しかしながら、放送局から放送される暗号化情報データを含む電波を暗号化解読キーを格納したＩＣカードを用いて、ＩＣカードの所有者のみが受信可能とする受信システムでは、放送局から一方的に高速送信される情報データに対応するために、放送電波を受信する受信機に接続されたリーダライタが主動的に作動し、データの送受信を制御することが望ましい。
　本発明の目的は、かかる問題点を解消し、放送システムのような通信システムにも対応可能としたＩＣカードシステムに関する。
　〔課題を解決するための手段〕
　上記目的を達成するために、本発明は、リーダライタ，ＩＣカード間にデータ用クロツクの伝送路を設けてクロツク同期方式によるデータ通信を可能とし、かつ該データクロツクはリーダライタからＩＣカードヘの一方向伝送とする。
　〔作用〕
　クロツク同期方式によるデータ通信が可能となって、リーダライタ，ＩＣカード間のデータ伝送レートが大幅に高まり、また、データ用クロツクをリーダライタ側からＩＣカード側へのみ送るため、リーダライタからＩＣカードヘのデータ伝送やＩＣカードからリーダライタヘのデータ伝送はリーダライタ側で規制されることになり、本発明を放送通信システムに適用した場合には、放送通信システム側から一方的にＩＣカードを制御できて、放送通信システムに適合することになる。
　〔実施例〕
　まず、本発明によるＩＣカードシステムを構成するＩＣカードについて説明する。
　第２図はかかるＩＣカードの一具体例を示す構成図であって、１〜８は外部端子、９はマイコン、１０〜１３は夫々マイコン９内に格納されたＣＰＵ，マスクＲＯＭ，ＲＡＭ，インタ−フェイス、１６は外部メモリ、１４はデータバス、１５はアドレスバスである。
　同図において、ＩＣカード本体内には、マイコン９、Ｅ２ＰＲＯＭ（電気的に消去、書替え可能なリードオンリメモリ）などの外部メモリ１６、マイコン９とメモリ１６との間のデータバス１４やアドレスバス１５、その他の配線などが埋め込まれており、８個の外部端子１〜８か所定の形状、配列をなして外部に露出している。
　外部端子１は電源端子であり、ＩＣカード本体内の電源線を介してマイコン９やメモリ１６などの電源印加端子に接続されている。外部端子２はリセツト端子であり、ＩＣカード本体内のリセツト線を介してマイコン９のリセツトパルス入力端子や、図示しないが、メモリ１６などのリセツトパルス入力端子などに接続されている。外部端子３はマイコン９の駆動用クロック端子であつて、ＩＣカード本体内のクロツク線を介してマイコン９の駆動用クロツク入力端子に接続されている。外部端子５は接地端子であって、ＩＣカード本体内の接地線に接続されており、マイコン９、メモリ１６などの接地端子がこの接地線に接続されている。以上は従来のＩＣカードと同様である。また、従来のＩＣカードでは、外部端子７がデータ伝送用端子であって、ＩＣカード本体内のデータ伝送線を介してマイコン９のインターフェイス１３に接続されている。したがって、従来のＩＣカードでは、外部端子４，６，８が予備として使用されていなかった。
　これに対し、この実施例では、図示するように、従来予備となつていた外部端子４または６をデータ用クロツクのための端子とし、送受信で異なるデータ用クロツクを使用する場合には、外部端子４，６を夫々独立に使用してもよい。この実施例では、外部端子４と６を接続してマイコン９のインターフェイス１３におけるデータ用クロツク入力端子に接続する。また、外部端子７をデータ送信用端子として、ＩＣカード本体内のデータ送信線を介し、マイコン９内のインターフエイス１３の送信端子に接続し、さらに、従来では予備であった外部端子８をデータ受信用端子として、ＩＣカード本体内のデータ受信線を介し、このインターフエイス１３の受信端子に接続する。
　マイコン９としては、たとえば（株）日立製作所製のＨＤ６３０１Ｙ０のように、調歩同期モードとクロック同期モードとを選択的にとり得るものが用いられる。
　リーダライタにおいても、調歩同期に加えてクロツク同期によるデータ通信の機能も付加される。第２図に示したＩＣカードがこのリーダライタに装着されたときには、外部端子１〜８が夫々リーダライタの対応する外部端子に接触してＩＣカードとリーダライタとが電気的に接続される。そして、リーダライタからＩＣカードに、外部端子１を介して電源電圧Ｖｃｃが、外部端子２を介してリセツトパルスＲＳＴが、外部端子３を介してマイコン９のＣＰＵ駆動用クロツクＣＣＬＫが夫々供給される。また、ＩＣカードの外部端子４はリーダライタのデータ用クロックＳＣＬＫの入力端子に接続され、以下、外部端子７がリーダライタのデータ受信端子に、外部端子８がリーダライタのデータ送信端子に夫々接続される。
　以下、かかるＩＣカードを用いた本発明によるＩＣカードシステムをテレビジヨン放送システムに適用したものとして、第１図により説明する。但し、同図において、１７はリーダライタ、１８は第２図に示したＩＣカード、１９はデータ用クロツクＳＣＬＫの伝送路、２０，２１はデータの伝送路、２２は放送システムの送信系、２３は放送システムの受信系であり、第２図に対応する部分には同一符号をつけている。なお、第１図のＩＣカードシステムの部分には、給電線やリセットパルスＲＳＴの伝送路、ＣＰＵ駆動用クロツクＣＣＬＫの伝送路の記載は省略している。
　第１図において、テレビジヨン放送システムにおいては、たとえば衛星放送などの場合、番組情報とともに適当なサービス情報を付加して送信できるようになつている。受信系２３としてはかかるサービス情報が受信可能なものであつて、送信系２２が番組情報に付加してサービス情報を送信すると、受信系２３はこの送信情報を受け、このサービス情報を抽出してその使用のため処理が行なわれる。
　かかるテレビジヨン放送システムによる情報サービスシステムにおいて、第１図に示すように、本発明によるＩＣカードシステムを結合することにより、サービス情報の保存や処理が可能となる。
　すなわち、受信系２３で受信、抽出されたサービス情報はＩＣカードシステムのリーダライタ１７に送られ、そこからデータＲＸとしてＩＣカード１８に送られて処理、あるいはメモリヘの書き込みが行なわれる。また、ＩＣカード１８で処理されたデータ、あるいはメモリから読み出されたデータは、データＴＸとして、リーダライタ１３を介して受信系２３に送られる。
　また、加入した特定のユーザにサービス情報を提供する加入システムとしての場合には、サービス情報はスクランブルされて送信される。これをユーザが使用可能な元のサービス情報にするためには、キー情報が必要となる。このようなスクランブルされたサービス情報を提供するに際しては、その送信に先立つて、前記キー情報が暗号化して送信され、受信系ではこれを復号してキー情報を再生し、次に受信されるスクランブルされたサービス情報をこのキー情報を用いて処理し、元の使用可能なサービスとする。また、サービス情報の送信に先立って、基本となるキー情報（これを公開キー情報という）が送信され、受信系では、この公開キー情報をもとにして必要なキー情報を作成し、次に受信されるスクランブルされたサービス情報をこのキー情報を用いて処理し、元の使用可能なサービス情報とすることもできる。このような加入システムにおいては、第１図におけるＩＣカードシステムは、暗号化して送信されたキー情報の暗号を復号してキー情報を得る装置あるいは公開キー情報から必要なキー情報を形成する装置として用いられる。この場合、ＩＣカード１４においては、暗号化して送信されたキー情報の暗号を復号してキー情報を得るためのアプリケーシヨンプログラムあるいは公開キー情報から必要なキー情報を作成するためのアプリケーシヨンプログラムが設けられているが、これは外部メモリに格納されている。
　なお、スクランブルを処理するだけでなく、料金計算などの加入システムにおける種々の管理のためのアプリケーシヨンプログラムを設けることもできる。
　以上のように、受信系１９からのサービス情報や暗号化されたキー情報や公開キー情報、ＩＣカード１８内で作成されたキー情報など各種データのリーダライタ１７、ＩＣカード１８間の通信はクロツク同期によつて行なわれる。
　クロツク同期によるリーダライタ１７，ＩＣカード１８間のデータ通信では、リーダライタ１７からＩＣカード１８にデータが送られる場合、外部端子８を介して伝送路２１が用いられる。また、このとき、このデータＲＸとともに、外部端子４で結合される伝送路１９を介し、データＲＸの各ビツトに位相同期したデータ用クロツクＳＣＬＫがリーダライタ１７からＩＣカード１８に送られる。また、ＩＣカード１８からリーダライタ１７にデータが送られる場合にも、伝送路１９を介してリーダライタ１７からＩＣカード１８にデータ用クロックＳＣＬＫが送られる。ＩＣカード１８はこのデータ用クロツクＳＣＬＫに位相同期したビツトでデータＴＸを出力し、伝送路２０を介してリーダライタ１７に送る。
　このようにして、クロツク同期による場合には、リーダライタ１７からＩＣカード１８にデータ用クロツクＳＣＬＫが送られ、リーダライタ１７からＩＣカード１８へのデータ通信とその逆のデータ通信とが行なわれる。つまり、リーダライタ１７からＩＣカード１８にデータ用クロツクＳＣＬＫが送られる期間のみデータ通信が行なわれ、このデータ通信のタイミングはリーダライタ１７側に支配される。そこで、受信系２３側からリーダライタ１７を制御することにより、ＩＣカードシステムを放送システムの要求に応じて高速動作させることができ、ＩＣカードシステムの放送システムヘの適用が可能となる。
　以下では、マイコン９として先に挙げた（株）日立製作所製のＨＤ６３０１Ｙ０を例にとり、そのシリアルコミユニケーシヨンインターフエイス（ＳＣＩ）１３の要部を第３図によって簡単に説明する。但し、同図において、２４は受信シフトレジスタ、２５は受信データレジスタ、２６は送信データレジスタ、２７は送信シフトレジスタ、２８はビツトレート発生器、２９，３０は送受信コントロールステータスレジスタ、３１はレート／モードコントロールレジスタであり、第２図に対応する部分には同一符号をつけている。
　同図において、このＳＣＩの端子Ｐ２２は外部端子４を介して入出力されるシリアルのデータ用クロツクＳＣＬＫとなる。また、端子Ｐ２３は外部端子８を介して入力されるシリアルのデータＲＸとなり、端子Ｐ２４は外部端子７を介して出力されるシリアルのデータＴＸとなる。
　送受信コントロールステータスレジスタ２９は調歩同期モードでのデータフオーマツト（ストツプビツトの長さ、パリテイなど）を設定するためのものであり、送受信コントロールステータスレジスタ３０は送，受信モードなどを設定するためのものである。また、レート／モードコントロールレジスタ３１は、調歩同期、クロツク同期の動作モードや伝送レートなどを設定するためのものである。ビツトレート発生器２８はこのＳＣＩ内の内部クロツクやクロツク同期モードでのデータ用クロツクＳＣＬＫを発生する。
　次に、このＳＣＩの動作を説明する。
　レート／モードコントロールレジスタ３１でクロツク同期モードが設定されるときには、送受信コントロールステータスレジスタ２９は使用されず、送受信コントロールステータスレジスタ３０には、上記と同様、送，受信モードのいずれか一方が設定される。また、レート／モードコントロールレジスタ３１で外部クロツクの入力が指定される。
　クロツク同期によるデータ受信の場合には、送受信コントロールステータスレジスタ３０で受信モードが指定される。リーダライタ１７から外部端子８を介して８ビツトのシリアル受信データＲＸが送られてくると、この受信データＲＸの各ビツトに同期したデータ用クロツクＳＣＬＫも、外部端子４を介して、リーダライタ１７から送られてくる。このとき、レート／モードコントロールレジスタ３１で外部クロツクの入力が指定されているため、ビツトレート発生器２８は送られてきたデータ用クロツクＳＣＬＫと同周期で位相が同期した内部クロツクを発生する。この内部クロツクにより、８ビツトのシリアル受信データＲＸが受信シフトレジスタ２４に格納され、次いで受信データレジスタ２５にパラレルに転送された後、８ビツトパラレルデータとして読み出されてＣＰＵに供給される。
　クロツク同期によるデータ送信の場合には、送受信コントロールステータスレジスタ３０で送信モードが指定され、ＣＰＵからの８ビツトパラレルデータがデータバス１４、送信データレジスタ２６を介して送信シフトレジスタ２７に転送される。このとき、レート／モードコントロールレジスタ３１で外部クロツクの入力が指定されていることから、リーダライタ１７から外部端子４を介してデータ用クロツクＳＣＬＫが送られてくると、ビツトレート発生器２８がこと同周期で位相が同期した内部クロツクを発生する。送信シフトレジスタ２７では、この内部クロツクに同期して８ビツトのデータが１ビットずつシリアルに読み出され、送信データＴＸとして外部端子７を介しリーダライタ１７に送られる。
　〔発明の効果〕
　以上説明したように、本発明によれば、クロツク同期によるリーダライタ，ＩＣカード間のデータ通信に際しては、データの伝送方向に関係なくデータ用クロツクをリーダライタで発生してＩＣカードに送るので、リーダライタ側でＩＣカードヘのデータの送りタイミングやＩＣカードからのデータ取り込みタイミングを規制することができ、従って、データの通信方向が一方向でかつ伝送レートが高い放送システムなどへの適用も可能となり、適用範囲が大幅に拡張する。
【図面の簡単な説明】
　第１図は本発明によるＩＣカードシステムの一実施例を示すブロツク図、第２図は第１図におけるＩＣカードの一具体例を示す構成図、第３図は第２図におけるマイクロコンピユータの一例のインターフェイスを示すブロツク図である。
　４，７，８………外部端子、１７………リーダライタ、１８………ＩＣカード、１９………データ用クロツクの伝送路、２０，２１………データの伝送路。
【図面】